【手続補正書】
【提出日】平成21年4月3日(2009.4.3)
【手続補正１】
【補正対象書類名】明細書
【補正対象項目名】００１２
【補正方法】変更
【補正の内容】
【００１２】
請求項１に係る発明によれば、上記面積率入力手段から印刷絵柄の面積率が小さいことを示す信号が入力された場合には、上記乾燥器に対する排気の還流量を増加させることにより、上記空気供給ダクトを介して新たに導入される新鮮空気量を低減しつつ、印刷インクを充分に乾燥させることができるとともに、上記面積率入力手段から印刷絵柄の面積率が大きいことを示す信号が入力された場合には、上記乾燥器に対する排気の還流量を減少させることにより、排気量を増大させることなく、印刷インクを充分に乾燥させることができるため、上記給気ファン等からなる乾燥用エアの供給装置を小型化して設備コストを効果的に低減できる等の利点がある。
【手続補正２】
【補正対象書類名】明細書
【補正対象項目名】００１８
【補正方法】変更
【補正の内容】
【００１８】
図１は、本発明に係る印刷機の制御装置の実施形態を示している。この制御装置は、印刷機の印刷ユニットから導出されたフィルム１を乾燥させる乾燥器２と、この乾燥器２内に乾燥用エアを供給するエア供給手段３と、上記乾燥器２から排出された排気を溶剤処理手段４の設置部に導出する排気導出手段５と、上記フィルム１に印刷インクが塗工されることにより形成された印刷絵柄の面積率を入力する面積率入力手段６と、この面積率入力手段６により入力された印刷絵柄の面積率に応じて上記エア供給手段３を制御することにより乾燥器２内に供給される乾燥用エアを調節する制御手段７とを有している。
【手続補正３】
【補正対象書類名】明細書
【補正対象項目名】００２１
【補正方法】変更
【補正の内容】
【００２１】
上記排気還流ダクト１５は、上記排気導出手段５の排気導出ダクト２１と上記空気供給ダクト１４とを連結することにより、上記乾燥器２から排気導出ダクト２１に導出された排気を、上記蒸気ヒータ１７の設置部と新鮮空気用固定ダンパー１８との間に還流するように構成されている。上記排気還流ダクト１５には、この排気還流ダクト１５を介して乾燥器２内に還流される排気の圧力損失を抑制するための還流用固定ダンパー２２と、上記排気の還流量を調節する還流量調節用ダンパー２３とが設けられている。この還流量調節用ダンパー２３は、上記制御手段７から出力される制御信号に応じて開閉弁を駆動する駆動モータ２４を有し、この駆動モータ２４を介して上記開閉弁が開閉駆動されることにより、上記排気還流ダクト１５を介して乾燥器２内に還流される排気の還流量を調節するように構成されている。
【手続補正４】
【補正対象書類名】明細書
【補正対象項目名】００２６
【補正方法】変更
【補正の内容】
【００２６】
例えば、フィルム１にべた塗り印刷が施されていることが作業者により確認され、上記面積率入力手段６から印刷絵柄の面積率が１００％であることを示す信号が入力された場合には、上記新鮮空気量調節用ダンパー１９を全開状態とするとともに、還流量調節用ダンパー２３を全閉状態とする制御信号が、上記制御手段７から新鮮空気量調節用ダンパー１９の駆動モータ２０および還流量調節用ダンパー２３の駆動モータ２４に出力されることにより、上記排気還流ダクト１５を介して乾燥器２内に還流される排気の還流量が０に設定され、上記空気供給ダクト１４から乾燥器２内に新鮮空気だけが供給されるようになっている。
【手続補正５】
【補正対象書類名】明細書
【補正対象項目名】００２７
【補正方法】変更
【補正の内容】
【００２７】
また、印刷インキの塗工領域が半分よりもかなり多いことが作業者により確認され、上記面積率入力手段６から印刷絵柄の面積率が７５％であることを示す信号が入力された場合には、上記新鮮空気量調節用ダンパー１９の開度を全開の３／４に設定するとともに、還流量調節用ダンパー２３の開度を全開１／４に設定する制御信号が、上記制御手段７から新鮮空気量調節用ダンパー１９の駆動モータ２０および還流量調節用ダンパー２３の駆動モータ２４に出力されることにより、上記空気供給ダクト１４を介して供給される新鮮空気と上記排気還流ダクト１５を介して乾燥器２内に還流される排気との割合が４対１に設定され、２５％の排気を含有する乾燥用エアが乾燥器２内に供給されるようになっている。
【手続補正６】
【補正対象書類名】明細書
【補正対象項目名】００２８
【補正方法】変更
【補正の内容】
【００２８】
上記印刷インキの塗工領域が半分程度であることが作業者により確認され、上記面積率入力手段６から印刷絵柄の面積率が５０％であることを示す信号が入力された場合には、上記新鮮空気量調節用ダンパー１９の開度を全開の１／２に設定するとともに、還流量調節用ダンパー２３の開度を全開１／２に設定する制御信号が、上記制御手段７から新鮮空気量調節用ダンパー１９の駆動モータ２０および還流量調節用ダンパー２３の駆動モータ２４に出力されることにより、上記空気供給ダクト１４を介して供給される新鮮空気と上記排気還流ダクト１５を介して乾燥器２内に還流される排気との割合が１対１に設定され、５０％の排気を含有する乾燥用エアが乾燥器２内に供給されるようになっている。
【手続補正７】
【補正対象書類名】明細書
【補正対象項目名】００２９
【補正方法】変更
【補正の内容】
【００２９】
そして、印刷インキの塗工領域が半分よりもかなり少ないことが作業者により確認され、上記面積率入力手段６から印刷絵柄の面積率が２５％であることを示す信号が入力された場合には、上記新鮮空気量調節用ダンパー１９の開度を全開の１／４に設定するとともに、還流量調節用ダンパー２３の開度を全開３／４に設定する制御信号が、上記制御手段７から新鮮空気量調節用ダンパー１９の駆動モータ２０および還流量調節用ダンパー２３の駆動モータ２４に出力されることにより、上記空気供給ダクト１４を介して供給される新鮮空気と上記排気還流ダクト１５を介して乾燥器２内に還流される排気との割合が１対４に設定され、７５％の排気を含有する乾燥用エアが乾燥器２内に供給されるようになっている。
【手続補正８】
【補正対象書類名】明細書
【補正対象項目名】００３６
【補正方法】変更
【補正の内容】
【００３６】
これに対して上記フィルム１に塗工された印刷インクの塗工領域がフィルム１に占める割合が低く、乾燥器２から排出される排気中の溶剤濃度が低い場合には、この排気を多量に上記乾燥器２へ還流させても、上記印刷インクの乾燥を充分に促進することが可能である。このため、上記面積率入力手段６から印刷絵柄の面積率が小さいことを示す信号が入力された場合には、上記乾燥器２に対する排気の還流量を増加させることにより、上記空気供給ダクト１４を介して新たに導入される新鮮空気量を低減しつつ、印刷インクを充分に乾燥させることができ、これによって上記給気ファン１６等からなる乾燥用エアの供給装置を小型化して設備コストを効果的に低減できるとともに、上記蒸気ヒータ１７で消費される熱エネルギーを抑制してランニングコストを効果的に低減できる等の利点がある。
【手続補正９】
【補正対象書類名】明細書
【補正対象項目名】００３８
【補正方法】変更
【補正の内容】
【００３８】
そして、上記印刷絵柄の面積率が小さい場合には、上記乾燥器２から排出される排気中の溶剤濃度が低いので、この排気をそのまま上記溶剤処理手段４の設置部に導出させると、大量の排気中から僅かな量の溶剤を効率よく除去するために、大型の溶剤処理手段４が必要になる。しかし、上記のように面積率入力手段６から印刷絵柄の面積率が小さいことを示す信号が入力された場合に、上記乾燥器２に対する排気の還流量を増加させる制御する実行するように構成すれば、溶剤処理手段４に導入される排気量を低減することができるため、大型の装置を使用することなく、上記排気中の溶剤を効率よく除去できるという利点がある。
【手続補正１０】
【補正対象書類名】明細書
【補正対象項目名】００４７
【補正方法】変更
【補正の内容】
【００４７】
したがって、上記リサイクル率を増大させて乾燥器２内に供給される新鮮空気量を低減することにより、上記給気ファン１６等からなる乾燥用エアの供給装置を小型化して設備コストを低減するとともに、上記蒸気ヒータ１７で消費される熱エネルギーを抑制してランニングコストを低減するためには、上記上部排気ダクト２５を介して乾燥器２の外部に排出された排気を乾燥器２内に還流させることが望ましい。一方、上記乾燥器２から排出された溶剤濃度が低い排気が、そのまま上記溶剤処理手段４の設置部に供給されるのを防止することにより、小型の溶剤処理手段４を用いて上記排気中の溶剤を効率よく浄化処理するためには、上記下部排気ダクト２６を介して乾燥器２の外部に排出された排気を乾燥器２内に還流させることが望ましい。